(57)【要約】【課題】自然海水を電解液とした入手容易な材料と現在範疇の技術の活用による電力発生装置。【解決手段】自然海水と入手安い金属と互いに高くない化学変化（反応）材を細線化電極とその隙間を海水の自然力、潮汐波浪の通過変化力（すなわち本発明で言う「洗浄波力」）によって清浄し減極剤を使用することなく継続出力電力発生装置の発明である。【選択図】　図１
2004039646.tif 000002
【特許請求の範囲】
【請求項１】
通常入手可能な電解液（以下海水又は電解液）中に陰陽一対を対向（対面）にしたし配置、その海水が外洋力により電極自体層間又は絶縁された両極間を移動、自由に流通することが前記電極表面と分極による電子流の妨げを洗浄波力（即ち電極表面の洗浄は力学的に一次的な動揺、振動、モビリィティ、研磨、引っかき、伸縮屈曲、ブラッシング等があり、派生的に機械的に出来た気泡の破壊力超音波力ジェット力、カルマン渦流力、擾乱等を利用する。）電力発生装置は省略して以下「洗浄波力」と言う。汚濁物水素ガスによって衰退劣勢した電極表面の活性促進を高め結果として減極材を使用することなく起電力をじゃっき再生を強め電力を継続出力する特長を有する発明である。
【請求項２】
電気出力向上に必要な内部抵抗の減少は電極表面積の拡大にある。電極構成の細線化（その組成は単一元素、合金、めっき材を含む）にほぼ細線倍数に比例した面積が得られる。細線を屈曲させ（長くなる、異種金属との組み合わせ）すだれ状網織物（綾畳折り又は通し孔スポンジ状板）シート、巻物をさらに多層重ね構造とし表面積の増大をはかる。一方陰陽極（異種金属）および隔離板（インシュレータ）両面には植毛ブラシ状を加えて洗浄効果を高める。そのシートを多重重ねて内部抵抗の低減を図った。各電極シート同極同士多層重ねて互いに接触させて流水による「洗浄波力」により電極表面の汚濁物、発生水素ガスを効率良く排除減少させ電極表面機能蘇生活性を高めて電気出力増加をさせる電極形状と組成、作用に関する。
【請求項３】
電池容器（携帯型）及び両電極とインシュレータ柔軟に変形復元容積が外力によって変化する電池容器（独立気泡スポンジ、ベローズまたはダイヤフラムなど形状容積自動復元型）内部電解液（海水を含む）が容器への加振動、傾斜の重力移動外力によって変形、容積変化による内部電解移動重力による「洗浄波力」によって電極面汚濁及び化学反応によって発生した水素ガス排除消滅電池として出力を継続する携帯電池に関する発明である。
「追記として電極、インシュレータの構造、形状は平板又は円筒形設置型携帯型に限定しない」
【請求項４】
電池容器を転倒（上下ひっくり返す）することで電解液と電極が離脱により自動的に電気出力を停止し得る。他言すれば電気出力の切断を電池の配置姿態によって切断スイッチ無しで簡単にＯｎ−Ｏｆｆ可能である。停止放置状態では電極表面がその出力が派生的に増加する傾向がある。上記の特長を有する発明である。
【発明の詳細な説明】
【発明の詳細な説明】
【技術分野】
【０００１】電力発生装置は減極（消極）剤を使用することなく外洋力（流動力）により電極及びインシュレータの運動差（モビリィティ）に互いの異運動が加わった「洗浄波力」によって電極面に発生付着した水素ガス（絶縁物）汚濁物を排除し衰退減少した電気出力に対する化学変化反応の活性を上げ効率良く外部にその出力を継続送り出す電池に関する発明である。追記「洗浄波力」によって発生した気泡の破壊時に生じた超音波は電極織網目の細かいほど、加振動が強いほど周波数が高く発生する。したがってその効果が細かい電極部分での洗浄力として優れる。
【背景技術】
【０００２】海洋からの波浪の高低、流動力をふいご等適応な装置で気体エネルギとしさらに回転エネルギ、発電機にて電気エネルギを出力する方法においてそれぞれの多段変換能率及び波浪の安定性、変換時音響等に一考、残念の周知感がある。【０００３】深海、表面水温との温度差発電は経済性また化学反応汎用電池は広く利用しているが経済性と使用後の投棄、資源再生に危惧がある。【０００４】ある電池には組構成上特殊な金属材料と高濃度電液と消極剤を併用する煩わしさを有している。【０００５】
【非特許文献】数研出版会社　昭和４７年１月１日発行　チャート式シリーズ新化学Ｐ２２０よりＰ２３１
【０００６】
【非特許文献】無線工学ハンドブック　株式会社オーム社　昭和３９年１１月１５日Ｐ１０７４よりＰ１０８１
【発明が解決しようとする課題】
【０００７】単純な入手しやすい海水と気体を媒体として利用及び既知汎用材料による陰陽電極とインシュレータとのからみまた現加工技術などの範疇において実行する電力発生装置の発明である。
【０００８】化学変化を応用した電池において反応による分極、水素ガス（絶縁物）によって電極面の活性が漸次減少し電力発生が阻害停止する。したがって減極剤の使用によって電極面を活性、復元し電力出力を行っている。
【０００９】本発明の電池においては減極剤を使用することなく海水波浪の「洗浄波力」を利用することによる電力発生を継続する課題の発明である。
【００１０】電気出力の増大を目的に陰陽電極とインシュレータを細線化、細孔（通し孔）化によって「洗浄波力」を高め電極面の清掃の効率を利用した電力発生装置の据置型の課題である。
【００１１】電力発生装置に関し据置型は海水の流動力を利用するが一方携帯型は外洋よりの流動力に代替して両電極、セパレータを変形自由な容器入りとし移動携帯時等の振動傾斜力を自由に変形可能な容器の歪力により電解液が移動、加振した「洗浄波力」を利用し電極面の水素ガス及び汚濁物などを排除、活性を行いしたがって継続電気出力を得る発明である。
【課題を解決する手段】
【００１２】単純な入手しやすい海水、塩水と気体を媒体（液体、気体中での洗浄が高い相乗効果）で汎用金属陰極として亜鉛板、粒体、プラスティック織網布（袋体）等、陽極は銀、銅板、強度などの点においてふしゅう鋼（ステンレススティール）織網を使用したまたインシュレータとしてプラスティック不織布多孔板紙やすり状片および植毛片ブラシを利用、加工技術など一般範疇における方法で実行、電液静止時との電気出力の差異復元特性を得る発明。
【００１３】減極剤無使用において電池動作後約３０秒へて電気出力が減少低減したが、秒速１から３ｍの流動速では細線電極直径約５０μｍステンレススティール製と亜鉛単棒極において約８０％程度の復元再生電気出力の継続を得た。電池内部抵抗は単極板の１００分のｌ程度まで低下した。本発明の据置型による。
【００１４】携帯型に関し据置型とほとんど電極インシュレータは同様材料形態であるが据置型の代替で携帯型は人口的な力学にて電極、インシュレータ、電解液容器外力による変形伸縮容積変化させ電極インシュレータ及び電解液のモビィリィティによる異運動の「洗浄波力」において電気出力継続の復元再生を図った。
【００１５】本発明の作用継続使用に対し自然派生的に発生する水素ガスそのエネルギ例えば無公害燃料として蓄積使用する（特に大出力の据置型において）一石二鳥の利得がある。
【発明を実施するための最良の形態】
【００１６】電力発生装置は据置型と移動携帯型に大別する内容構成は大同小異である。据置型は外洋よりの波浪力を利用島嶼湾港取付型、船舶、その浮体、指標ブイ、及び魚貝類養殖網、柵等に付帯構成運用品である。それらを多数連結一括合体した電力発生装置（所、工場）である。【００１７】移動携帯型は据置型の様な外洋よりの波浪を利用できない。したがってその代替として電池収容器が携帯時の外力、傾斜力にて自由変形とその電解液の流通により「洗浄波力」が電極を清浄化学変化で発生した水素ガス、汚濁物を除去、減退反応を再生増大して電気出力継続（据置型と同じ作用）する発明である。
【実施例】
【００１８】（図１）本発明実施例を図１から図５に基づいて説明する。
【図１】
において海水中６にある各電極２、３、インシュレータ１の間において海水の４、５方向など「洗浄波力」を受け反応分極による水素ガス８、汚濁物９を清掃排除漸次退化減少する電気出力をじゃっき再生継続得ようとする電力発生装置の発明の１例である。（電極形状は平面、円筒形に限定しない。）
【００１９】（図２）は電極の形態であるＡは網斜め畳み織で縦目、横目は幅が等しいまた異なる場合がある。縦目、横目かいずれかが屈曲の一例であり全細線が同径でもよく、線太さが異径でもその効果に大差なく線長が長くなると表面積が拡大する。Ｂはあや織り網の一例である。織物編物又はプレス加工品でもその作用効果には大差なく機械的強度、経済性に関与する。またインシュレータには植毛、ブラシ状の付属は機能（電気出力）の効率（電気出力のレスポンス）と経済性に関係する。
【００２０】（図３）電力発生装置の携帯型の側面図である。電池構成配置部品および作用において（図１）の据置型に相似であるが、電極、インシュレータ、電液収容器が付随追加する。（図１）の据置型のような海水波浪力がないのでその代替として携帯移動時の振動力、傾斜力により自由に容器が伸縮、傾斜して電解液が移動し「洗浄波力」を生じ据置型同様に化学変化による水素ガス、汚濁物による電気出力の減衰を再生化学反応を増強して電気出力の継続を行う。携帯型の発明の一例図。
【００２１】（図４）電力発生装置の円形電極型の上面図である。（図１）、（図３）同様の動作形であるが電極形状が円筒型である。各電極筒を多層重ねて内部抵抗を減少させ電気出力増加策は各形式共通である。
【００２２】（図５）は電力発生装置携帯型の単体容器入りの側面図。携帯型の移動応力、傾斜応力、重力加速度などが容器右上方向より加わった変移傾斜歪型である。電液の空間移動のようすが察知される容器の伸縮長にて内部容積が拡大縮小時において電液移動が行われ即ち「洗浄波力」が発生して機能が再生し電気出力が増大する発明の一例図である。
【００２３】（図６）電力発生装置の電気出力特性の一例である。縦軸Ｐｏは電力発生出力、横軸Ｔｉは出力発生時間を表す曲線Ａｅは電極静止時の特性であり、Ｐ１はその出力最大値を表しまた点線はＱ点経由後の特性である。曲線ＢｅはＱ点より電液の「洗浄波力」効果による復元再生時以後の特性であり、Ｐ２は復元時の最大値である。本特性は発明の据置型、携帯型での大差はない。
【発明の効果】
【００２４】発明の効果は各記述、図示した。即ち通常入手可能な自然海水中の運動力の中に浸した単純再生可能な電極インシュレータの細い隙間を運動力を持った海水が流通その運動水力「洗浄波力」によって反応電極表面に発生付着した水素ガス、汚濁物などを排除清浄し漸次減少退化する（図６点線特性）反応をじゃっきし波浪の自然エネルギを効率的に活用して電気出力を継続し得る優れた発明である。
【図面の簡単な説明】
【図１】電力発生装置の実施形態を示す縦（横）据置電極およびインシュレータの海水中の側面図。（電極、インシュレータは平面図、円筒形型に限定しない。
【図２】電力発生装置に関する網織り電極およびインシュレータ網目の側面図。
【図３】電力発生装置による携帯型電池の側面図。（電極、インシュレータは平面、円形型に限定しない。）
【図４】電力発生装置による円筒形電極の携帯型電池の上面図。
【図５】電力発生装置による携帯型単電池の側面図。外力を右上面方向に受けた歪変形した変移体図。（多段重ね、組構成も含む。）
【図６】電力発生装置に関する電気出力特性図。
【符号の説明】
１．インシュレータ
２．陰極板、２Ａその係線と出力端子
３．陽極板、３Ａその係線と出力端子
４．５．海水の流動向き（全方向適合）
６．海水
７．気体通孔
８．水素ガスおよび気体
９．汚濁物
１０．メッセンジャー（係線）
Ａ．畳織物目の一例
Ｂ．綾織物目の一例
１１．電池容器
【図１】
2004039646.tif 000003
【図２】
2004039646.tif 000004
【図３】
2004039646.tif 000005
【図５】
2004039646.tif 000006
【図６】
2004039646.tif 000007
【手続補正書】
【提出日】平成15年10月10日(2003.10.10)
【手続補正１】
【補正対象書類名】図面
【補正対象項目名】全図
【補正方法】変更
【補正の内容】
【図１】
2004039646.tif 000008
【図２】
2004039646.tif 000009
【図３】
2004039646.tif 000010
【図４】
2004039646.tif 000011
【図５】
2004039646.tif 000012
【図６】
2004039646.tif 000013